(57)【要約】【解決手段】エアバッグコネクタ組立体は、ソケットコネクタ（１）と、プラグコネクタ（２）とを有し、該プラグコネクタ（２）は、ソケットコネクタ内の短絡要素（１３）の短絡状態を解消するためのアクチュエータ（６）と、ソケットコネクタ内の取付前位置にプラグコネクタをラッチし、かつ、コネクタ（１、２）が完全に結合されたときにプラグコネクタをロックするためのＣＰＡ部材（７）を有する。該ＣＰＡ部材（７）は、係止脚（７０）とばねアーム（７３）とを有する。係止脚は、ラッチアーム（２２）とプラグ突出部（２１）との間の隙間（２４）を通ってロック位置に移動する。ＣＰＡ部材（７）の各ばねアーム（７３）の自由端は、コネクタ（１、２）の取付前位置でプラグハウジング（３）内の停止壁手段上に支持される支持面（７４ａ）を備える単一のラグ（７４）として形成され、ラグ（７４）上の第１及び第２の斜面（７４ｂ、７４ｃ）は、ソケットコネクタの内側挿入壁（１７）と協働してばねアーム（７３）を撓ませて停止壁手段から解放し、停止壁手段の後側に係止される。【選択図】図８ｂ
2010537370.tif 000002
【特許請求の範囲】
【請求項１】
ソケットコネクタ（１）とプラグコネクタ（２）とを有する電気コネクタ組立体であって、
ソケットコネクタ（１）は、
外側挿入壁及び内側挿入壁（１６、１７）並びにラッチ溝（１５）を備えたレセプタクル空洞（１４）を有するソケットハウジング（１０）と、
短絡要素（１３）によってブリッジ接続された端子（１２）とを有し、
プラグコネクタ（２）は、プラグハウジング（３）と、アクチュエータ（６）と、ＣＰＡ部材（７）とを有し、
プラグハウジング（３）は、隔室（３０ａ、３０ｂ）及び通路（３６、３７、３８、３９）を形成する本体部（２０）と、内部に中空部（２３）及び停止壁手段を備えた円筒状のプラグ突出部（２１）と、ソケットコネクタ（１）のラッチ溝（１５）と協働するラグ（２９）を備えたラッチアーム（２２）とを有し、
アクチュエータ（６）は、ソケットコネクタ内の短絡要素（１３）の短絡状態を解消するためのものであり、
ＣＰＡ部材（７）は、ソケットコネクタ内の取付前位置にプラグコネクタをラッチし、かつ、コネクタ（１、２）が完全に結合されたときに、プラグコネクタをロックするためのものであり、
ＣＰＡ部材（７）は、
プラグコネクタを取付前位置にラッチするための、一対の係止脚（７０）と、ラグ（７４）を端部に備える少なくとも１本のばねアーム（７３）とを有し、
ソケットコネクタ（１）から遠いプラグコネクタ（２）のラッチアーム（２２）が、プラグ突出部（２１）と平行に本体部（２０）から延在して、ラッチアーム（２２）とプラグ突出部（２１）との間に、ソケットコネクタ（１）の側から開くとともに、本体部通路（３７）によってプラグハウジングの隔室（３０ｂ）の側からも開く各隙間（２４）を形成し、
隙間（２４）は、ソケットコネクタ（１）の外側挿入壁（１６）を収容するために設けれられ、コネクタ（１、２）を結合するときにラッチアーム（２２）の撓みを許容し、結合後に、本体部通路（３７）とともに、ＣＰＡ部材（７）の係止脚（７０）を挿入するための直線チャンネルを提供し、ＣＰＡ部材（７）の係止脚（７０）は挿入されたとき、プラグハウジング（３）のラッチアーム（２２）をソケットハウジング（１０）内にロックするために、ソケットハウジング（１０）の外側挿入壁（１６）及びラッチアーム（２２）上に支持され、
ＣＰＡ部材（７）のばねアーム（７３）の自由端は、コネクタ（１、２）の取付前位置でプラグハウジング（３）内の停止壁手段上に支持される支持面（７４ａ）と、互いに斜めに配置されたラグ（７４）上の第１（７４ｃ）及び第２（７４ｂ）の斜面（７４ｂ、７４ｃ）とを有する単一のラグ（７４）として形成され、第１の斜面（７４ｃ）は、ソケットコネクタ（１）の内側挿入壁（１７）と協働してばねアーム（７３）を撓ませて停止壁手段から解放し、第２の斜面（７４ｂ）は、停止壁手段の後側に係止するためのものである、電気コネクタ組立体。
【請求項２】
停止壁手段が、
円筒状のプラグ突出部（２１）の中空部（２３）内に配置されて、ハウジングの本体部（２０）の近くの第１のラッチ開口部（２７）と、ハウジングの本体部（２０）から遠い第２のラッチ開口部（２８）とを形成する交差リブ（２６）を有する、請求項１に記載の電気コネクタ。
【請求項３】
交差リブ（２６）は、ばねアーム（７３）の支持面（７４ａ）と協働する上面（２６ａ）と、ばねアームのラグ（７４）の第２の斜面（７４ｂ）と協働する傾斜面（２６ｂ）とを有する菱形断面を有する、請求項２に記載の電気コネクタ。
【請求項４】
停止壁手段の交差リブ（２６）は、円筒状のプラグ突出部（２１）の中空部（２３）を、対応するばねアーム（７３）をガイドするための第１の通路（２３ａ）と、コネクタ（１、２）が結合されたときにソケットコネクタ（１）の内側挿入壁（１７）をガイドして収容するための第２の通路（２３ｂ）とに分離する、請求項２又は３に記載の電気コネクタ。
【請求項５】
ＣＰＡ部材（７）は、向い合った下側端に単一のラグ（７４）をそれぞれ備えた一対のばねアーム（７３）を有し、プラグコネクタ（２）は、一対の交差リブ（２６）を有し、各ラグ（７４）が、交差リブ（２６）のうちの対応するものと協働し、
コネクタ（１、２）が結合されるときに、ばねアーム（７３）のそれぞれと協働するためにソケットコネクタ（１）に一対の内側挿入壁（１７）が設けられる、請求項２〜４のいずれか１項に記載の電気コネクタ。
【請求項６】
ソケットハウジング（１０）は、ガイドスロット（１４ｂ）を有し、プラグハウジング（３）は、ガイドリブ（２５ａ）を有し、スロット（１４ｂ）及びリブ（２５ａ）は、コネクタ（１、２）が結合されるときに互いに協働する、請求項１〜５のいずれか１項に記載の電気コネクタ。
【請求項７】
ＣＰＡ部材（７）は、少なくとも１個の開口部（７２）を備えた水平板（７１）を有し、
アクチュエータ（６）は、ＣＰＡ部材の開口部（７２）と協働してアクチュエータ上にＣＰＡ部材（７）を捕捉するためのラッチアーム手段（６４）を有する、請求項１〜６のいずれか１項に記載の電気コネクタ。
【請求項８】
アクチュエータ（６）は、水平板（６０）の下側に捕捉されたＣＰＡ部材（７）にアクセスするための開口部（６１）を備えた水平板（６０）を有する、請求項７に記載の電気コネクタ。
【請求項９】
アクチュエータ（６）及びＣＰＡ部材（７）は、１個の部品として一体形成されている、請求項１〜６のいずれか１項に記載の電気コネクタ。
【請求項１０】
プラグコネクタであって、
端子手段（５）を収容するための隔室（３０ａ、３０ｂ）を有するプラグハウジング（３）と、
隔室を閉じるためのカバー（４）と、
ソケットコネクタ（１）内の短絡要素（１３）と協働するためのアクチュエータ（６）と、
ソケットコネクタ（１）に対してプラグコネクタ（２）を取付前位置にラッチし、プラグコネクタ（２）及びソケットコネクタ（１）が結合されたときに、コネクタ（１、２）をロックするためのＣＰＡ部材（７）とを有し、
プラグハウジング（３）は、
本体部（２０）と、
アクチュエータ（６）及びＣＰＡ部材（７）の一部分を収容するための中空部（２３）を有し、少なくとも１個の交差リブ（２６）が、停止壁手段を形成するように延在する円筒状のプラグ突出部（２１）と、
ソケットコネクタ（１）と協働するために端部にラグ（２９）をそれぞれ有するラッチアーム（２２）であって、本体部（２０）からプラグ突出部（２１）と実質的に平行に延在してプラグ突出部（２１）の凹部（２４）と対向し、各ラッチアーム（２２）と本体部（２０）との間に通路（３７）が残されているラッチアーム（２２）とで形成され、
ＣＰＡ部材（７）は、
一対の係止脚（７０）と少なくとも１本のばねアーム（７３）とを有し、
係止脚（７０）が、各ラッチアーム（２２）と本体部（２０）との間の対応する通路（３７）を通り、ラッチアーム（２２）の対応するラグ（２９）がソケットコネクタ（１）内にラッチされたときに、ラッチアーム（２２）の対応するラグ（２９）を支持してロックするように適応されており、
ばねアーム（７３）は、端面（７４ａ）と、互いにかつ結合方向に対して斜めに配置された第１（７４ｃ）及び第２（７４ｂ）の斜面（７４ｃ、７４ｂ）とを備えた単一のラグ（７４）として形成された自由端を有し、
ラグ（７４）の端面（７４ａ）は、ＣＰＡ部材（７）が取付前位置にあるときに交差リブ（２６）上に乗り、
第１の斜面（７４ｃ）が、結合中にソケットコネクタ（１）の壁面（１７）と協働するように配置され、
第２の斜面（７４ｂ）が、ばねアーム（７３）の弛緩した状態で交差リブ（２６）の後側に位置するように適応されるプラグコネクタ。
【発明の詳細な説明】
【技術分野】
【０００１】
本発明は、自動車エアバッグ拘束システム用の電気コネクタ及び電気コネクタ組立体に関する。
【０００２】
係る車両用エアバッグシステムは、エアバッグ側のレセプタクル又はソケットコネクタと制御ユニット側のプラグコネクタとから成る電気接続システムを使用する。これらのコネクタは、電気的安全性（エアバッグ側の電気端子の短絡）と機械的安全性（結合されたコネクタ間の強固な接続）とに関する安全要件を満たしながら結合されなければならない。
【０００３】
エアバッグ用電気コネクタは、例えば特許文献１から既知であり、短絡インサートを有するソケットコネクタと、コネクタが結合されたときに、短絡要素を非短絡位置に動かすための安全ラッチ要素を備えたプラグコネクタとを有する。安全ラッチ要素は、結合された電気コネクタが外れるのを防ぐロック手段を作動させるためにも提供される。
【０００４】
さらに、安全連動機構を備えた電気接続システムが開発されている。特許文献２は、テーパ面を有するリブを中に備えた誘電性ハウジングと、下方に突出するビームを有し誘電性ハウジング上で移動可能に取付けられたロック装置とを有し、該ロック装置がリブと係合して仮の位置に保持される電気コネクタを開示している。他の文献では、ロック装置は、「補助ロック装置」又は「ＣＰＡ（コネクタ位置保証）部材」とも呼ばれる。ソケットコネクタは、プラグコネクタのビームのテーパ面と協働する突出部を有し、該突出部は、ビームをリブの停止面から外し、それにより、ロック装置を完全ロック位置に移動させることを可能にする。ロック装置は、完全ロック位置でプラグコネクタハウジング上にラッチされるラッチアームと、ハウジングのボスによって撓（たわ）まされてソケットコネクタハウジングのラッチ溝に入るロックアームとを有する。したがって、該ロックアームは、コネクタが結合されたときに応力がかかった状態であり、この状態は、特定の用途では許容されない。
【０００５】
ポジティブロックを備えた短絡電気コネクタ組立体は、特許文献３から既知であり、コネクタを結合状態でロックするためのロック装置と、該ロック装置から分離され独立した作動装置であって、コネクタが完全に結合されたときに、ソケットコネクタ内の短絡回路を開くための作動装置とを有するプラグコネクタを示す。ロック装置は、フック形の端部を備えたロックアームを有し、この端部は、ロック前位置で、プラグコネクタのラッチアームの支持面に乗り、コネクタが完全に結合されたときに、ロックアームが撓んで支持面を越え、ソケットコネクタの凹部にパチンと入る。作動装置は、細長いフィンガを備えた板と、該板と平行なショートラッチとから成り、前記板は、プラグコネクタハウジングに固定されており、そのロック前位置でプラグコネクタ及びソケットコネクタによって形成されたチャンネルに入ることができる。しかしながら、保持力は、特定の用途、特に５０〔Ｎ〕を超える保持力、さらには、８０〔Ｎ〕をも超える保持力が必要な場合には十分な大きさではない。
【０００６】
更に他の既知の電気コネクタ組立体（特許文献４）では、ソケットコネクタは、結合片を有し、該結合片は、少なくとも１個のガイド肩部を備えた凹部を有する実質的に円筒状のスリーブであり、ガイド肩部は、プラグコネクタの挿入方向と平行に延在し、ソケットコネクタの接点ピンの上方にある。プラグコネクタは、Ｌ形アームを有し、該Ｌ形アームは、ガイド肩部を有するアームを取囲むＴ形スロットを画定する。２個の舌状部が、プラグコネクタの突出部と平行に延在し、結合片の適切な凹部内にラッチされるノーズ部を有する。補助ロック機構は、コネクタ組立体の取付前位置で、クロスブレース上に支持される端面を有する一対の脚を有する。結合プロセスで、クロスブレースは、ガイド肩部によって補助ロック装置の経路から押出され、その結果、クロスブレースを下方に押すことができる。この電気コネクタ組立体は、クロスブレースを押退ける傾斜面を備えた特別なソケットコネクタを必要とし、結合プロセスの最初でも、取付前の状態のコネクタ組立体内に補助ロック装置を確実に保持することができない。
【０００７】
補助ロック装置を備えた更に他のプラグコネクタは、特許文献５から既知である。このプラグコネクタは、プラグ突出部を有し、プラグ突出部の端部には上方に延在するロックアームが固定され、該ロックアームとプラグ突出部との間にスロットが形成される。補助ロック装置は、何本かの脚を有するとともに、それらの間に、係止脚、短絡解放脚、及び、段部と突起とを備えたばねアームを有する。取付前位置で、ばねアームの段部は、ロックアームから突出するくさび形頂部とプラグコネクタハウジング上に形成されたロック突起との上に乗る。プラグコネクタをソケットに挿入する際、ばねアームは、段部に作用するロック突起によって撓まされてばねアームが曲がり、それにより、段部がロック突起から持上げられる。これにより、補助ロック装置を更に押下げることができ、そこで、ばねアームの突出部がソケットコネクタ内で摺（しゅう）動し、コネクタの完全挿入位置でばねアームが曲げられ、曲げられたままになる。安全部材のそのような屈曲状態は、特定の用途には望ましくない。
【０００８】
更に他の電気コネクタ組立体は、特許文献６及び７から既知である。プラグコネクタは、補助ロック装置用のばね止め装置を有し、該ばね止め装置は、補助ロック装置が組立前位置に保持されるようにするための止め脚を有する。コネクタを結合するには、補助ロック装置を押下げて、ばね止め装置のばね抗力に対抗する、ソケットの壁領域上での摺動案内動作によって、ばね止め装置を阻止位置から解放位置に旋回させる。補助ロック装置は、ソケットコネクタ内の短絡要素の短絡状態を解消するために使用されるガイド脚を一体的に支持する。短絡状態を解消するために補助ロック装置をアクチュエータと別々に動かすことはできない。
【先行技術文献】
【特許文献】
【０００９】
【特許文献１】ＥＰ０  ５９１  ９４８  Ｂ１
【特許文献２】ＵＳ６，３６４，６８３  Ｂ１
【特許文献３】ＥＰ１  １６０  ９３４  Ｂ１
【特許文献４】ＵＳ６，４０２，５４０  Ｂ１
【特許文献５】ＵＳ６，５３０，７９９  Ｂ２
【特許文献６】ＵＳ７，１０８，５４０  Ｂ２
【特許文献７】ＤＥ１０  ２００４  ０３４３２１  Ｂ３
【発明の概要】
【発明が解決しようとする課題】
【００１０】
本発明の目的は、前述の欠点を回避する自動車エアバッグ拘束システム用の電気コネクタ組立体を設計することである。
【００１１】
更に他の目的は、ＣＰＡ部材とソケットコネクタ内の短絡状態を解消するためのアクチュエータとを有し、ＣＰＡ部材及びアクチュエータを、結合されたソケットコネクタ及びプラグコネクタの完全ロック位置まで互いに別々に動かすことができる電気プラグコネクタを設計することである。
【００１２】
更に他の目的は、自動車エアバッグ拘束システム用の電気コネクタ組立体の場合、５０〔Ｎ〕を超える保持力、さらには、８０〔Ｎ〕を超える保持力によって、ＣＰＡ部材及びアクチュエータをコネクタ組立体の取付前位置に確実に保持することができる電気プラグコネクタを設計することである。
【００１３】
更に他の目的は、プラグコネクタ及びソケットコネクタが完全に結合されたときに、そのラッチ部材又はロック部材が実質的に弛（し）緩した状態になる電気プラグコネクタを設計することである。
【課題を解決するための手段】
【００１４】
本発明は、請求項１及び１０で定義される。
【００１５】
電気コネクタ組立体は、所定の構造のソケットコネクタと、前述の目的を達成するように設計されたプラグコネクタとを有する。ソケットコネクタは、ラッチ溝及び挿入壁が形成されたレセプタクル空洞を有するソケットハウジングを有する。該ソケットハウジング内には端子手段が収容され、その間に短絡要素が設けられる。プラグコネクタは、本体部、円筒状のプラグ突出部、及び、プラグ突出部と平行に本体部から延在するラッチアームで構成されたプラグハウジングを有する。プラグコネクタは、また、ソケットコネクタ内の短絡要素の短絡状態を解消するためのアクチュエータと、完全に結合されたときに、プラグコネクタをソケットコネクタ内にロックするためのＣＰＡ部材とを有する。プラグハウジングは、プラグ端子並びにアクチュエータ及びＣＰＡ部材を収容するための、ガイド面を部分的に有する通路及び隔室を有する。プラグハウジング及びＣＰＡ部材は、ＣＰＡ部材を取付前位置に所定のラッチ力（エアバッグシステムの場合、５０〔Ｎ〕を超え、さらには、８０〔Ｎ〕超える）で保持するように構成される。ＣＰＡ部材は係止脚を有し、コネクタが完全に結合されたとき、この係止脚は、プラグハウジングのラッチアームとソケットハウジングの挿入壁との間の対応する隙（すき）間を埋め、その結果、ソケットハウジングの溝内にラッチされたラッチアームをロックする。ＣＰＡ部材はばねアームも有し、該ばねアームは、組立前位置から拡開され、ＣＰＡ部材がプラグハウジング内に完全に挿入されたときに、プラグハウジングによって構成されたラッチ開口部内にパチンと嵌（はま）る。この完全に挿入された状態では、ばねアームには、実質的に又は事実上応力が作用しない。
【００１６】
ばねアームの特定の特徴は、その自由端の形状がラグとして形成されていることである。ラグは、（ソケットコネクタに向って見て）平らな最下面と、水平面及び互いに対して斜めの２個の斜面又は傾斜面を有する。ラグの最下面は、ＣＰＡ部材の取付前位置でプラグハウジングに形成された停止面に乗り、ラグは、プラグハウジングのラッチ開口部内にラッチされる。ＣＰＡ部材を押すと、ラグの下側斜面は、ソケットコネクタの挿入壁と係合し、ラッチ開口部からカム作用によって外れ、コネクタの完全結合位置に対応するプラグコネクタ内の下側ラッチ開口部にパチンと嵌る。この下側ラッチ開口部にも、ばねアームのラグ上の上側斜面と協働する傾斜面が形成される。したがって、ＣＰＡ部材を引張ると、ばねアームのラグが、プラグハウジングの下側ラッチ開口部から外れ、その結果、ＣＰＡ部材が上方に移動し（ソケットコネクタから離れ）、プラグハウジングのラッチアームとソケットコネクタ内の挿入壁との間の隙間からＣＰＡ部材の係止脚を外すことができる。これにより、ソケットコネクタの溝からプラグコネクタのラッチアームを取外し、プラグコネクタをソケットコネクタから外すことができる。
【００１７】
本発明の実施の形態を、添付図面を参照して例として説明する。
【図面の簡単な説明】
【００１８】
【図１】プラグコネクタのいくつかの構成要素の斜視図である。
【図２】組立てられたプラグコネクタの斜視図である。
【図３】アクチュエータの斜視図である。
【図４】プラグハウジングの斜視図である。
【図５】ハウジングカバーの斜視図である。
【図６】ＣＰＡ部材の斜視図である。
【図７ａ】結合しているプラグコネクタ及びソケットコネクタの図２のＶＩＩ−ＶＩＩに対応する断面図である。
【図７ｂ】結合しているプラグコネクタ及びソケットコネクタの図２のＶＩＩ−ＶＩＩに対応する断面図である。
【図７ｃ】結合しているプラグコネクタ及びソケットコネクタの図２のＶＩＩ−ＶＩＩに対応する断面図である。
【図８ａ】図２のＶＩＩＩ−ＶＩＩＩにおける類似の断面図である。
【図８ｂ】図２のＶＩＩＩ−ＶＩＩＩにおける類似の断面図である。
【図８ｃ】図２のＶＩＩＩ−ＶＩＩＩにおける類似の断面図である。
【図８ｄ】図２のＶＩＩＩ−ＶＩＩＩにおける類似の断面図である。
【図８ｅ】図２のＶＩＩＩ−ＶＩＩＩにおける類似の断面図である。
【図９ａ】図２のＩＸ−ＩＸにおける断面図である。
【図９ｂ】図２のＩＸ−ＩＸにおける断面図である。
【図９ｃ】図２のＩＸ−ＩＸにおける断面図である。
【発明を実施するための形態】
【００１９】
コネクタ組立体は、ソケットコネクタ１とプラグコネクタ２とを有する。図１は、本発明のプラグコネクタ２の主構成部品、すなわち、ハウジング３、カバー４、端子組立体５、アクチュエータ６及びコネクタ位置保証要素すなわちＣＰＡ部材７を示す。これらの構成要素は、とても小さく、すなわち、ハウジング３は、約２０〔ｍｍ〕の長さ寸法と約１〔ｍｍ〕のラッチ形状部を有する。
【００２０】
プラグコネクタハウジング３は、本体部２０、円筒状のプラグ突出部２１、及び、ラグ２９が上に形成されたラッチアーム２２を有する。プラグ突出部２１は、中空部２３と、各ラッチアーム２２の隣りに隙間を形成する各凹部２４とを有する。また、中空部２３内には、端子接点５１及び５２を固定するための壁形成部２５（図２）も設けられている。該壁形成部２５は、本体部２０とともに上側ラッチ開口部２７を画定し、かつ、プラグ突出部２１の壁とともに下側ラッチ開口部２８を画定するために交差リブ２６（図８ａ及び９ａ）を有する（用語「上側」及び「下側」は、レセプタクル又はソケットコネクタ１の通常位置に関するものであり、全く限定的ではない。）。さらに、各交差リブ２６は、その隣接空間を、外側通路２３ａ及び内側通路２３ｂ（図８ｄ）内で分割する。
【００２１】
図４は、プラグハウジング３の上側の外観であり、左側隔室３０ａ及び右側隔室３０ｂを示す。端子組立体５は、端子５１及び５２と、各々がフェライト要素５３によって取囲まれた対応する導体５０とを有し、隔室３０ａ及び３０ｂに取付けられる。端子５１及び５２は、ハウジング壁２５の開口部３１を通って延在する。導体５０は、歪（ゆが）み解放凹部３３内を通って延在する。端子５２の固定端５４を収容するためにステッチ（stitching ）開口部３４が設けられている。カバー４は、ハウジング３のノーズ部３２上にラッチされて導体５０をクランプし、カバー４の上側壁４０に固定された板ばね（leave spring）４１を介してフェライト５３上に乗っている。
【００２２】
隔室３０ｂは、アクチュエータ６及びＣＰＡ部材７の上側部分を収容するように構成される。アクチュエータ６及びＣＰＡ部材７の下側端のために、いくつかの通路、すなわち、スロット状の通路３６、一対の弧状の通路３７、一対の細い通路３８、及び、隔室３０ｂに隣接する更なるスロット状の通路３９が設けられており、該スロット状の通路３９は、該通路３９の上側端にある一対のノーズ部３９ａと下側端近くのノーズ部（図示せず）とによって狭くなっている。各通路３７は、対応する凹部２４（図７ｂ）内に開口して、ＣＰＡ部材７の対応する係止脚７０のための真直ぐなガイドチャンネルを形成する。
【００２３】
アクチュエータ６（図３）は、上側ベース板６０と、ＣＰＡ部材７にアクセスするための開口部６１とを有する。ベース板６０からは、ガイド壁６２、一対のラッチアーム６４及びガイド脚６５が垂下している。ガイド壁６２は、プラグハウジングの通路３９内に延出するノーズ部（図示せず）と協働してラッチする傾斜肩部６２ａ（図１）を形成する凹部を有する。代替又は追加として、ガイド壁６２を通路３９内に取外し可能に保持するためのラッチ６２ｂ（図３）が設けられている。ラッチアーム６４はその端部にフックを備える。脚６５は、ラッチノーズ部６５ａを備える。アクチュエータ６は、隔室３０ｂ及び通路３９を覆うようにプラグハウジング３内に取付けられる。その際に、壁６２は通路３９内にガイドされ、ガイド脚６５が通路３６を通る。
【００２４】
ＣＰＡ部材７（図６）は、アクチュエータ６のラッチアーム６４を収容するための開口部７２を有する板７１によって接続された一対の係止脚７０を有する。アーム６４のフックは板７１を支持し、ＣＰＡ部材７を保持する。これにより、ＣＰＡ部材７がアクチュエータ６の開口部６１と重なる。さらに、ＣＰＡ部材７は、少なくとも１本のばねアーム７３であって、好ましくは板７１に固定され一体形成された一対のばねアーム７３を有する。各ばねアーム７３の下側端にはラグ７４が形成される。該ラグ７４はそれぞれ、最下面７４ａと、上側斜面７４ｂ及び下側斜面７４ｃとを有する。該斜面７４ｂ及び７４ｃは、水平面に対して傾斜しており、互いに６０〜９０度の鋭角をなす。プラグ突出部２１の中空部２３内の交差リブ２６（図８ａ）は、実質的に水平な上側面２６ａ（図８ｅ）と、ばねアーム７３の傾斜面７４ｂと実質的に平行に延在する下側斜面２６ｂ（図８ｂ）とを有する菱（ひし）形の輪郭を有する。交差リブ２６は停止壁を構成する。すなわち、交差リブ２６の上側面２６ａは、ばねアーム７３の最下面７４ａを支持するように配置されている。
【００２５】
図７、８及び９に直径方向に表わされたレセプタクルコネクタ１は、外部ハウジング１０と、内側インサート１１とを有し、インサート内にピン端子１２が配置されている。短絡クリップ１３が、通常、ピン１２（図９ａ）をブリッジ接続してその間を短絡させ、また、アクチュエータ６の脚６５の作用によって短絡クリップ１３を持上げて短絡（図９ｃ）を解消することができる。ハウジング１０は、プラグコネクタ用、特にそのラッチアームのラグ２９用の導入部１４ａを有する円形の空洞１４を形成する。該空洞１４は、ラッチアーム２２のラグ２９をラッチ式に収容するための放射状の溝１５を有する。インサート１１は外側壁１６を有し、その外側面は、プラグ突出部２１（図７ｂ）の外部壁の内側面のためのガイド面を形成する。インサート１１は、プラグコネクタハウジング３のウェブ２５ａをガイドし、かつ、ＣＰＡ部材７のラグ７４と協働するためのスロット１４ｂを有する内側壁１７（図８ａ〜８ｅ）を有する。
【００２６】
プラグコネクタ２のソケットコネクタ１との結合は次の通りである。
【００２７】
プラグコネクタ２は、図７ａ、８ａ及び９ａに示したように、プラグコネクタハウジング３の適切な通路３６及び３９並びに３７及び３８にそれぞれ挿入されたアクチュエータ６及びＣＰＡ部材７と組付けられる。プラグ突出部２１の下側縁部は、ソケットコネクタ１の円形の空洞１４に挿入され、その結果、ラッチアーム２２のラグ２９が、ソケットコネクタ１の導入部１４ａに達し、端子５１及び５２がピン端子１２に達する（図７ｂ及び８ａ）。プラグコネクタを更に押下げることによって、ラッチアーム２２が曲がり、その結果、ラグ２９が、ソケットコネクタハウジングの壁１６と導入部１４ａとの間でクランプされる（図７ｃ及び８ｂ）。この状況で、ＣＰＡ部材７の係止脚７０は、プラグコネクタ２にそれ以上に入らないように阻止され、ＣＰＡ部材７のラグ７４は、交差リブ２６に達し、その結果、最下面７４ａが交差リブ２６の上側面２６ａに乗り、下側斜面７４ｃが、ソケットコネクタ１の壁１７に接触する（図８ｂ）。さらに、ＣＰＡ部材７のラグ７４は、対応する開口部２７内にラッチされる。これは、ソケットコネクタ１内のプラグコネクタ２の取付前位置である（図７ｃ、８ｂ及び９ａ）。そのような取付前位置でＣＰＡ部材及びアクチュエータ６が確実に固定される。
【００２８】
コネクタを完全に結合させるために、プラグコネクタ２が、図７ｄに示したように更に押込まれ、ラッチアーム２２のラグ２９が、ソケットコネクタハウジング１０の溝１５にパチンと嵌る。これを行う際、通路３７と凹部２４との間の係止脚７０用のガイドチャンネルの障害がなくなる。同時に、ＣＰＡ部材７のばねアーム７３が、斜面７４ｃに対するソケットコネクタハウジング１０内の壁１７のカム作用によって広げられる。図８ｂ及び８ｃを比較されたい。ラグ７４は、図９ｂにも示したように、開口部２７内のその上側静止位置から出る。プラグコネクタ２上に更に押すことによって、図８ｄに示したように、アクチュエータ６／ＣＰＡ部材７とプラグコネクタハウジング３とが相対的にずれる。ばねアーム７３の拡開は、図８ｃ及び８ｄを比較したときに分かるように、ばねアーム７３の斜面７４ｃに対する交差リブ２６のカム作用によって継続される。最後に、ラグ７４は、図８ｅ及び９ｃに示したように、下側静止位置２８に達する。この位置で、アクチュエータ６のラグ６５ａは、プラグハウジング３の適切な凹部（図示せず）の後側でラッチし、アクチュエータの脚６５は、短絡クリップ１３をソケットコネクタの端子ピン１２とブリッジ接触した状態から外す。同時に、ＣＰＡ部材７の各脚７０は、ソケットハウジング１０内に隙間を形成する凹部２４と通路３７内とにおいて壁１６の外側面に沿って摺動し、図７ｄ及び７ｅに示したように、対応するラグ２９の後側の隙間に入って対応するラッチアーム２２をラッチ位置にロックする。この状態では、プラグコネクタは、ＣＰＡ部材を持上げないと外すことができない。
【００２９】
ソケットコネクタ１からプラグコネクタ２の引抜きは、プラグコネクタハウジングのラッチアーム２２をアンロックするためにアクチュエータ６及びＣＰＡ部材７を図７ｄに示した位置に引くことによって行われる。これにより、図７ｃ、７ｂ及び７ａに示したように、プラグコネクタをソケットコネクタハウジングから外すことができる。
【００３０】
プラグコネクタ２の設計によって、ＣＰＡ部材７及びアクチュエータ６のロック及びアンロックを２回以上行うことができる。さらに、プラグコネクタハウジング３を挿入し、アクチュエータ６を上側位置にしたままでＣＰＡ部材７を押すことによって、コネクタ１及び２が結合されてロックされる間、（図９に示したように）ピン１２が短絡されたままとなる。このように、プラグコネクタ２の設計によって、設置後の段階で短絡を解消することができる。
【図１】
2010537370.tif 000003
【図２】
2010537370.tif 000004
【図３】
2010537370.tif 000005
【図４】
2010537370.tif 000006
【図５】
2010537370.tif 000007
【図６】
2010537370.tif 000008
【図７ａ】
2010537370.tif 000009
【図７ｂ】
2010537370.tif 000010
【図７ｃ】
2010537370.tif 000011
【図７ｄ】
2010537370.tif 000012
【図７ｅ】
2010537370.tif 000013
【図８ａ】
2010537370.tif 000014
【図８ｂ】
2010537370.tif 000015
【図８ｃ】
2010537370.tif 000016
【図８ｄ】
2010537370.tif 000017
【図８ｅ】
2010537370.tif 000018
【図９ａ】
2010537370.tif 000019
【図９ｂ】
2010537370.tif 000020
【図９ｃ】
2010537370.tif 000021
【国際調査報告】
2010537370.tif 000022
2010537370.tif 000023
2010537370.tif 000024